(57)【要約】【課題】電子機器ユニットの不用意な着脱操作を防止するとともに、電子機器ユニットのロック解除を簡易な操作により可能とする。【解決手段】電子機器収納ラックに着脱自在に搭載される電子機器ユニットのロック機構は、基板レバー２０の把持部２３に、ロック解除器１０を装着したときに、ロック解除器１０の突き当てピン１１が挿入される突き当てピン挿入孔２４を備える。基板レバー２０に装着されたロック解除器１０は、突き当てピン１１により突き当てピン挿入孔２４に遊嵌される遊嵌部材３０を押し、ロック部材４０を基板レバー２０の回動を規制する位置から許容する位置に移動させる。ロック部材４０の移動により、基板レバー２０は、電子機器ユニットの着脱操作のための回動が可能になる。【選択図】図３
2011222740.tif 000002
【特許請求の範囲】
【請求項１】
筐体に着脱自在に搭載される電子機器ユニットのロック機構において、
前記電子機器ユニットを前記筐体に固定する固定状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な規制部材と、
を備え、
前記レバーは、把持部に把持部端部から前記規制部材に向かう挿入孔を備え、
前記規制部材は、弾性部材による付勢力に抗して前記規制状態を前記許容状態へと切り替える切替操作を前記挿入孔を通じて受け付ける切替操作部を備える、
ことを特徴とする電子機器ユニットのロック機構。
【請求項２】
前記挿入孔は、前記把持部端部から前記レバーの回動軸に向かうことを特徴とする請求項１記載の電子機器ユニットのロック機構。
【請求項３】
前記レバーは、前記挿入孔内部に遊嵌部材を備えることを特徴とする請求項１記載の電子機器ユニットのロック機構。
【請求項４】
前記規制部材と前記挿入孔を複数対備えることを特徴とする請求項３記載の電子機器ユニットのロック機構。
【請求項５】
前記遊嵌部材は、前記挿入孔ごとに長さが異なることを特徴とする請求項４記載の電子機器ユニットのロック機構。
【請求項６】
前記レバーは、前記挿入孔への挿入を特定形状の部材に規制する挿入規制部を備えることを特徴とする請求項１記載の電子機器ユニットのロック機構。
【請求項７】
筐体に着脱自在に搭載される電子機器ユニットにおいて、
前記電子機器ユニットを前記筐体に固定する固定状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な規制部材と、
を備え、
前記レバーは、把持部に把持部端部から前記規制部材に向かう挿入孔を備え、
前記規制部材は、弾性部材による付勢力に抗して前記規制状態を前記許容状態へと切り替える切替操作を前記挿入孔を通じて受け付ける切替操作部を備える、
ことを特徴とする電子機器ユニット。
【請求項８】
前記電子機器ユニットは、前記レバーと前記規制部材を左右一対備えることを特徴とする請求項７記載の電子機器ユニット。
【請求項９】
筐体に電子機器ユニットを着脱自在に搭載する電子機器装置において、
前記筐体は、前記電子機器ユニットを係止する係止部を備え、
前記電子機器ユニットは、
前記電子機器ユニットを前記係止部と係合する係合状態と、前記電子機器ユニットを前記筺体から着脱可能とする着脱可能状態とを切替可能なレバーと、
前記レバーの状態切替を規制する規制状態と、前記レバーの状態切替を許容する許容状態とを切替可能な規制部材と、
を備え、
前記レバーは、把持部に把持部端部から前記規制部材に向かう挿入孔を備え、
前記規制部材は、弾性部材による付勢力に抗して前記規制状態を前記許容状態へと切り替える切替操作を前記挿入孔を通じて受け付ける切替操作部を備える、
ことを特徴とする電子機器装置。
【発明の詳細な説明】
【技術分野】
【０００１】
本発明は、筐体に着脱自在に搭載される電子機器ユニットのロック機構、電子機器ユニット、および電子機器装置に関する。
【背景技術】
【０００２】
筐体に電子機器ユニットを着脱自在に搭載する電子機器装置が知られている。このような電子機器装置は、不用意に筐体から電子機器ユニットを取り外す作業で、ユーザが内部の活電部に触れて感電したり、電子機器ユニット自体を破損したりする事故のおそれがある。
【０００３】
そこで、ユーザがドライバーなどの汎用工具で電子機器ユニットの着脱作業がおこなえないように、不用意に筐体から電子機器ユニットを取り外すことができない構造を有するものがある。
【０００４】
たとえば、筐体と小型ユニットを固定する鍵穴を小型ユニットの前面に設け、筐体内に複数の小型ユニットを並設した電子装置の提案がある。この電子装置は、鍵穴にハンドルの鍵部を挿入することにより、小型ユニットと筐体の固定状態を解除し、ハンドルと小型ユニットとを固定する。この電子装置は、ハンドルを介して小型ユニットを筐体から引き出すことができる（たとえば、特許文献１参照）。
【０００５】
また、筐体から電子機器ユニットを取り外す作業性を改善する電子機器装置の提案がある。たとえば、電子機器ユニットをエンクロージャから引き出す把持部として機能するレバーを設けた電子機器ユニット着脱機構がある。この電子機器ユニット着脱機構は、操作ボタンが押圧操作されることにより、レバー側係合爪とフォルダー側係合爪の係合を解除し、レバーを自動的に引き出す（たとえば、特許文献２参照）。
【先行技術文献】
【特許文献】
【０００６】
【特許文献１】特許４０８２０４７号公報
【特許文献２】特許３６７０６３０号公報
【発明の概要】
【発明が解決しようとする課題】
【０００７】
しかしながら、鍵などによるロック機構を設けると、（１）鍵を鍵穴に挿入する、（２）鍵を回す、（３）ユニットを引き出す、のように作業数が増大し、着脱操作は煩雑になる。また、着脱操作を容易にすると、筐体から電子機器ユニットを不用意に取り外すなど着脱操作の安全性が損なわれかねない。
【０００８】
本発明は、このような点に鑑みてなされたものであり、電子機器ユニットの不用意な着脱操作を防止するとともに、電子機器ユニットのロック解除を簡易な操作により可能とする電子機器ユニットのロック機構、電子機器ユニット、および電子機器装置の提供を目的とする。
【課題を解決するための手段】
【０００９】
上記課題を解決するために、筐体に着脱自在に搭載される電子機器ユニットのロック機構は、レバーと規制部材を備える。レバーは、電子機器ユニットを筐体に固定する固定状態と、電子機器ユニットを筺体から着脱可能とする着脱可能状態とを切り替える。規制部材は、レバーの状態切替を規制する規制状態と、レバーの状態切替を許容する許容状態とを切り替える。
【００１０】
さらに、レバーは、把持部に挿入孔を備える。挿入孔は、把持部端部から規制部材に向かって備えられる。さらに、規制部材は、切替操作部を備える。切替操作部は、弾性部材による付勢力に抗して規制状態を許容状態へと切り替える切替操作を挿入孔を通じて受け付ける。
【００１１】
電子機器ユニットは、所定の機能を有する電子機器を搭載するユニットである。たとえば、電子機器ユニットは、情報処理機能を有する情報処理ユニット、信号交換機能を有する信号交換ユニット、通信機能を有する通信ユニットなどがある。また、電子機器ユニットは、入力電源（たとえば、商用電源）から所定の電源を生成し負荷側に供給する電源ユニットを含む概念である。
【００１２】
また、上記課題を解決するために、電子機器ユニットを着脱自在に搭載する電子機器装置の筐体は、着脱自在に搭載する電子機器ユニットを係止する係止部を備える。電子機器装置の筐体に着脱自在に搭載される電子機器ユニットは、レバーと規制部材を備える。
【００１３】
レバーは、電子機器ユニットを係止部と係合する係合状態と、電子機器ユニットを筺体から着脱可能とする着脱可能状態とを切り替える。規制部材は、レバーの状態切替を規制する規制状態と、レバーの状態切替を許容する許容状態とを切り替える。
【００１４】
さらに、レバーは、把持部に挿入孔を備える。挿入孔は、把持部端部から規制部材に向かって備えられる。さらに、規制部材は、切替操作部を備える。切替操作部は、弾性部材による付勢力に抗して規制状態を許容状態へと切り替える切替操作を挿入孔を通じて受け付ける。
【発明の効果】
【００１５】
上記の電子機器ユニットのロック機構、電子機器ユニット、および電子機器装置によれば、電子機器ユニットの不用意な着脱操作を防止するとともに、電子機器ユニットのロック解除を簡易な操作により可能とする。
【図面の簡単な説明】
【００１６】
【図１】第１の実施形態の電子機器装置の一部斜視図である。
【図２】第１の実施形態の電子機器装置の平面図である。
【図３】第１の実施形態のロック機構のロック状態を示す図である。
【図４】第１の実施形態のロック機構のロック解除遷移状態を示す図である。
【図５】第１の実施形態のロック機構のロック解除遷移状態を示す図である。
【図６】第１の実施形態のロック機構のロック解除状態を示す図である。
【図７】第１の実施形態のロック機構の分解斜視図である。
【図８】第２の実施形態のロック機構のロック状態を示す図である。
【図９】第３の実施形態の基板レバーおよびロック解除器を示す図である。
【図１０】第３の実施形態の基板レバーおよびロック解除器の部分破断図である。
【図１１】第４の実施形態の基板レバーおよびロック解除器の部分破断図である。
【発明を実施するための形態】
【００１７】
以下、本発明の実施の形態を図面を参照して詳細に説明する。まず、第１の実施形態の電子機器装置、および電子機器ユニットについて図１、図２を用いて説明する。図１は、第１の実施形態の電子機器装置の一部斜視図である。図２は、第１の実施形態の電子機器装置の平面図である。
【００１８】
電子機器装置１は、電子機器ユニット３を搭載する。電子機器装置１は、たとえば、ラックマウント型サーバや、ディスクアレイ装置、ルータやレイヤ３スイッチなど通信を制御するネットワーク機器、映像信号や音声信号を切替制御するスイッチャーなどである。電子機器装置１は、電子機器収納ラック２に電子機器ユニット３を着脱可能に搭載する。
【００１９】
電子機器収納ラック２は、収納空間を本体シャーシ７で区画し、各区画にユニット単位で電子機器ユニット３を収納して搭載する。電子機器収納ラック２は、各区画に電源を供給する電源供給ライン、各区画を信号接続する信号ラインを備える。電子機器収納ラック２は、電子機器ユニット３を各区画に係止するためのユニット係止部を本体シャーシ７に備える。ユニット係止部は、電子機器ユニット３を各区画に係止する。
【００２０】
電子機器ユニット３は、筐体にカード基板４を収納し、裏面側に電子機器収納ラック２のコネクタと接続するコネクタ部５、前面側にインターフェース部６、前面左右に一対の基板レバー２０を備える。
【００２１】
カード基板４は、所要の処理を実行するための電子デバイスを実装する。コネクタ部５は、電子機器ユニット３が電子機器収納ラック２の各区画に収納されることで、電子機器収納ラック２のコネクタと接続し、電子機器ユニット３と電子機器収納ラック２の電源供給ライン、入出力信号ラインを接続する。インターフェース部６は、所要の機能を提供するための信号入出力端子、操作入力部、表示出力部などを備える。
【００２２】
基板レバー２０は、ロック解除器１０が基板レバー２０に装着されることで、基板レバー２０の回動を規制するロックが解除されて回動可能になる。基板レバー２０は、電子機器ユニット３が本体シャーシ７に固定された状態で、左右一対のそれぞれを外側に倒すことで電子機器ユニット３の固定状態を解除して、電子機器収納ラック２から電子機器ユニット３を手前に引き出す。また、基板レバー２０は、電子機器ユニット３が電子機器収納ラック２から引き出されている状態で、左右一対のそれぞれを外側に倒したときに電子機器収納ラック２に電子機器ユニット３を装着可能とする。電子機器収納ラック２に電子機器ユニット３を挿入後、基板レバー２０は、左右一対のそれぞれを内側に起こしたときに本体シャーシ７に電子機器ユニット３を固定する。
【００２３】
たとえば、電子機器ユニット３は、情報処理機能を有する場合に情報処理ユニットとなる。より具体的には、情報処理ユニットは、たとえば、サーバ機能を有するサーバユニットであり、この場合に電子機器装置１は、データセンタなどに設置されるサーバである。また、電子機器ユニットは、通信機能を有する場合に通信ユニットとなる。より具体的には、通信ユニットは、たとえば、ルーティング機能等を有するルータユニットやレイヤ３スイッチユニットであり、この場合に電子機器装置１は、インターネットサービスプロバイダなどに設置されるセンタールータである。また、電子機器ユニットは、信号交換機能を有する場合に信号交換ユニットとなる。より具体的には、信号交換ユニットは、たとえば、スイッチング機能等を有する映像信号交換ユニットや音声信号交換ユニットであり、この場合に電子機器装置１は、放送局などに設置されるスイッチャーである。
【００２４】
また、電子機器ユニット３は、電源ユニットであってもよく、その場合、電子機器ユニット３は、電子機器収納ラック２を介して商用電源を入力し、電子機器収納ラック２を介して負荷側となる他の電子機器ユニット３に所定の電源を供給する。電子機器装置１は、必要とされる電力量に応じて、１台、または複数台の電源ユニットを搭載する。
【００２５】
次に、第１の実施形態の電子機器ユニット３の着脱操作について図３から図６を用いて説明する。図３は、第１の実施形態のロック機構のロック状態を示す図である。図４、図５は、第１の実施形態のロック機構のロック解除遷移状態を示す図である。図６は、第１の実施形態のロック機構のロック解除状態を示す図である。
【００２６】
図３に図示した基板レバー２０と、ロック部材４０は、電子機器ユニット３を本体シャーシ７に固定したロック機構のロック状態の位置関係を表す。
基板レバー２０と、ロック部材４０は、ユニットガイド７０に支持され筐体取付部９で電子機器ユニット３の筐体に取り付けられている。基板レバー２０は、本来、ピン６０を回動軸として回動可能であるが、係合部２２が本体シャーシ７のユニット係止部８と当接し、つめ２１がロック部材４０と当接しているのでいずれの方向の回動も規制されたロック状態にある。
【００２７】
基板レバー２０は、２つの長辺と１つの短辺からなる三角形を底面とする略三角柱状であり、短辺側にピン６０を挿通する挿通孔を設けて回動軸とし、短辺の対角側に把持部２３を備えている。把持部２３は、グリップ力を高めるための溝を複数備える。さらに、基板レバー２０は、短辺側につめ２１、係合部２２、短辺の対角部側（把持部頂部側）から短辺側（回動軸側）に貫通する突き当てピン挿入孔２４を備える。突き当てピン挿入孔２４は、内部に遊嵌部材３０を遊嵌する。
【００２８】
遊嵌部材３０は、回動軸側で突き当てピン挿入孔２４から突出可能になっているが、把持部頂部側では遊嵌部材ストッパ部２５により突出不可に移動が規制されている。この遊嵌部材ストッパ部２５は、把持部頂部側からの遊嵌部材３０の抜け防止として機能する。また、遊嵌部材ストッパ部２５は、操作者が指で直接に遊嵌部材３０を押すことができない程度に、把持部頂部から奥まった位置にある。また、遊嵌部材３０は、可動部材であることを操作者に明示するため把持部２３と異なる彩色であり、遊嵌部材ストッパ部２５により移動を規制された位置で視認可能になっている。
【００２９】
ロック部材４０は、長孔４１へのピン６０の挿通により、長孔４１の長手方向の範囲で移動可能であり、基板レバー２０の回動を規制する回動規制状態となる位置（回動規制位置）と基板レバー２０の回動を許容する回動許容状態となる位置（回動許容位置）との間を移動可能である。ロック部材４０は、コイルバネ５０（弾性部材）により遊嵌部材３０側に付勢されて回動規制位置にある。
【００３０】
ロック部材４０は、回動規制位置にあるときに、側面部に位置するつめ当接部４５でつめ２１と当接し、基板レバー２０の回動を規制する。このように、ロック部材４０は、基板レバー２０の回動を規制する規制部材として機能する。
【００３１】
ロック部材４０は、頂部に位置する切替操作部４３で遊嵌部材３０と当接し、コイルバネ５０の付勢力を遊嵌部材３０に伝達する。切替操作部４３は、操作者が指で直接に押すことができない位置にあり、遊嵌部材３０の押下操作により間接的に回動規制位置から回動許容位置への切替操作を受け付ける。
【００３２】
このように、基板レバー２０の回動操作（電子機器ユニット３の固定解除操作）を規制するロック部材４０は、操作者が直接に操作することを許容しない。また、ロック部材４０は、操作者が指で直接に押すことができない位置に遊嵌部材３０があることから、操作者が遊嵌部材３０を容易に操作することも許容しない。
【００３３】
ロック解除器１０は、両腕部をグリップ部１２とする略Ｖ字型形状であり、２つのグリップ部１２間となる嵌合凹部１３が基板レバー２０の把持部２３と嵌合可能になっている。さらに、ロック解除器１０は、２つのグリップ部１２の分岐部に突き当てピン１１を備える。
【００３４】
図４に図示した基板レバー２０と、ロック部材４０は、ロック機構が基板レバー２０の回動規制を解除した状態の位置関係を表す。
ロック解除器１０は、嵌合凹部１３と基板レバー２０の把持部２３を嵌合させて（嵌合操作）、基板レバー２０に装着されている。嵌合状態で突き当てピン１１は、突き当てピン挿入孔２４に挿入される。２つのグリップ部１２は、把持部２３を嵌合凹部１３に案内するガイド部として機能し、突き当てピン１１の突き当てピン挿入孔２４への好適な挿入を案内するガイド部としても機能する。突き当てピン挿入孔２４に挿入された突き当てピン１１は、遊嵌部材ストッパ部２５を超えて、遊嵌部材３０に当接し、遊嵌部材３０を付勢力に抗して押下する。
【００３５】
遊嵌部材３０は、回動軸側で突き当てピン挿入孔２４から突出し、ロック部材４０を回動許容位置まで移動させる（規制状態切替操作）。ロック部材４０は、つめ当接部４５とつめ２１との当接状態を解除し、基板レバー２０の回動を許容する。
【００３６】
このように、ロック解除器１０は、基板レバー２０にロック解除器１０を装着するという１つの操作で、嵌合操作と、規制状態切替操作とを可能にしているため、ロック解除の操作性に優れる。
【００３７】
図５に図示した基板レバー２０と、ロック部材４０は、ロック機構が基板レバー２０の回動を許容している状態の位置関係を表す。
ロック解除器１０を装着した状態で基板レバー２０は、つめ当接部４５とつめ２１との当接状態が解除され、回動軸を中心に図中矢印方向に回動可能である。つめ２１は、基板レバー２０の矢印方向の回動により、ロック部材４０のつめ受入部４２に受け入れられる。つめ受入部４２に受け入れられたつめ２１は、ロック部材４０が回動規制位置に移動することを規制する。
【００３８】
基板レバー２０の回動操作は、ロック解除器１０を装着した状態でおこなうことができる。基板レバー２０の回動操作は、ロック解除器１０を装着することでロック解除器１０を装着しないときよりも軽い力でおこなうことができる。
【００３９】
図６に図示した基板レバー２０と、ロック部材４０は、ロック機構が電子機器ユニット３を本体シャーシ７から固定解除した状態の位置関係を表す。
ロック解除器１０を装着した状態で基板レバー２０は、つめ２１をつめ受入部４２により深く差し込みながら、回動軸を中心に図中矢印方向にさらに回動する。このとき、基板レバー２０は、係合部２２とユニット係止部８との係合状態を解除し、係合部２２の一片をユニット係止部８に当接させて、当接位置を支点として電子機器ユニット３を電子機器収納ラック２から引き出す。
【００４０】
なお、電子機器ユニット３を正面から見たときに左側に位置するロック機構について説明したが、右側に位置するロック機構も同時に同様の操作がおこなわれる。
このように、電子機器ユニット３は、ロック解除器１０を用いることで、電子機器ユニット３を取り外すための基板レバー２０の操作を容易におこなうことができる。このような電子機器ユニット３は、ロック解除器１０なしでは、基板レバー２０の操作を容易におこなうことができないので、電子機器ユニット３の不用意な着脱操作を防止する。
【００４１】
次に、第１の実施形態のロック機構を構成する基板レバー２０、遊嵌部材３０、ロック部材４０、コイルバネ５０、ピン６０、ユニットガイド７０の概観について図７を用いて説明する。図７は、第１の実施形態のロック機構の分解斜視図である。
【００４２】
ロック機構は、基板レバー２０、遊嵌部材３０、ロック部材４０、コイルバネ５０、ピン６０、ユニットガイド７０を構成部材に含む。遊嵌部材３０は、基板レバー２０のつめ２１ａとつめ２１ｂの間から突き当てピン挿入孔２４に挿入され、ロック部材４０の切替操作部４３に当接して突き当てピン挿入孔２４内に保持される。
【００４３】
ロック部材４０は、コイルバネ収納部４４にコイルバネ５０を収納する。コイルバネ５０は、圧縮バネであり、ユニットガイド７０に一端を支持されて、ロック部材４０を基板レバー２０側に付勢する。ユニットガイド７０は、ピン挿通孔７１を備え、ピン６０がピン挿通孔７１、ピン挿通孔２６、長孔４１を挿通する。
【００４４】
これにより、ユニットガイド７０は、基板レバー２０、ロック部材４０を支持する。基板レバー２０は、ピン挿通孔を回転軸に回動可能となる。ロック部材４０は、移動可能範囲が長孔４１を挿通するピン６０により規制される。
【００４５】
基板レバー２０は、ロック部材４０により回動が規制されている状態で、つめ２１ａがつめ当接部４５ａに当接し、つめ２１ｂが図示されないつめ当接部に当接する。また、基板レバー２０は、ロック部材４０により回動が許容されている状態で、つめ２１ａがつめ受入部４２ａに受け入れられ、つめ２１ｂがつめ受入部４２ｂに受け入れられる。
【００４６】
なお、第１の実施形態のロック機構は、つめ２１、つめ当接部４５、つめ受入部４２を２組備えるが、１組としてもよいし、３組以上としてもよい。
次に、第２の実施形態のロック機構について図８を用いて説明する。図８は、第２の実施形態のロック機構のロック状態を示す図である。
【００４７】
図８に図示した基板レバー２０ａと、ロック部材４０は、電子機器ユニット３を本体シャーシ７に固定したロック機構のロック状態の位置関係を表す。第２の実施形態のロック機構は、遊嵌部材３０を備えない点で、遊嵌部材３０を備える第１の実施形態のロック機構と異なる。
【００４８】
ロック解除器１０ａは、ロック部材４０に当接可能な突き当てピン１１ａを有する。この突き当てピン１１ａがロック部材４０に直接に当接することで、突き当てピン挿入孔２４ａに遊嵌部材３０を備えなくてもよい構成としている。
【００４９】
このようなロック機構は、基板レバー２０ａの把持部２３ａが短かく、突き当てピン挿入孔２４ａに遊嵌部材３０の移動量を十分に確保できない場合に有効である。
次に、第３の実施形態の基板レバーおよびロック解除器について図９、図１０を用いて説明する。図９は、第３の実施形態の基板レバーおよびロック解除器を示す図である。図１０は、第３の実施形態の基板レバーおよびロック解除器の部分破断図である。
【００５０】
第３の実施形態のロック機構は、遊嵌部材を複数備える点で、遊嵌部材を１つだけ備える第１の実施形態のロック機構と異なる。
基板レバー２０ｂは、突き当てピン挿入孔２４ｂの内部に並列に、３本の遊嵌部材３０１、遊嵌部材３０２、遊嵌部材３０３を備える。また、図示しないロック部材を各遊嵌部材に対応して３つ備える。つまり、第３の実施形態のロック機構は、遊嵌部材３０１と当接するロック部材、遊嵌部材３０２と当接するロック部材、遊嵌部材３０３と当接するロック部材の３つを備える。基板レバー２０ｂは、把持部頂部側で遊嵌部材が突出しないように移動範囲を規制する遊嵌部材ストッパ部３０４、遊嵌部材ストッパ部３０５、遊嵌部材ストッパ部３０６を各遊嵌部材に対応して備える。各遊嵌部材に対応する遊嵌部材ストッパ部は、互いに遊嵌部材の移動範囲を規制する位置を違える。
【００５１】
ロック解除器１０ｂは、位置を違えた遊嵌部材ストッパ部に対応して、突き当てピン１１ｂの先端形状を鍵状にする。ロック解除器１０ｂは、各遊嵌部材と当接する突き当てピン１１ｂの先端部の長さが適当な場合にのみ、３つのロック部材を回動規制位置から回動許容位置に移動させることができる。
【００５２】
たとえば、突き当てピン１１ｂの１つの先端部が長すぎる場合、他の先端部は遊嵌部材の押下量が足りなくなり、ロック部材を回動規制位置から回動許容位置に移動させることができない。逆に、突き当てピン１１ｂの１つの先端部が短かすぎる場合、この先端部は遊嵌部材の押下量が足りなくなり、ロック部材を回動規制位置から回動許容位置に移動させることができない。したがって、突き当てピン１１ｂの先端形状が適当な場合に、ロック解除器１０ｂは、基板レバー２０ｂを回動可能にすることができる。
【００５３】
このように、第３の実施形態のロック機構は、基板レバー２０ｂとロック解除器１０ｂとが適当な組合せであるときに限り、基板レバー２０ｂを回動可能にするので、より強固に、電子機器ユニットの不用意な着脱操作を防止する。また、複数種類の電子機器ユニット３に備えられた場合に、電子機器ユニット３の種類ごとに遊嵌部材が異なる基板レバー２０ｂを用いることで、電子機器ユニット３ごとの取り扱いを異ならせることができる。
【００５４】
なお、突き当てピン挿入孔２４ｂの内部に並列に、３本の遊嵌部材３０１、遊嵌部材３０２、遊嵌部材３０３を備える場合に限らず、各遊嵌部材に対応して複数の突き当てピン挿入孔を設けるようにしてもよい。また、遊嵌部材を３本備える場合に限らず、２本、または４本以上であってもよい。
【００５５】
次に、第４の実施形態の基板レバーおよびロック解除器について図１１を用いて説明する。図１１は、第４の実施形態の基板レバーおよびロック解除器の部分破断図である。
第４の実施形態のロック機構は、突き当てピン挿入孔に挿入規制部を備える点で、第１の実施形態のロック機構と異なる。
【００５６】
基板レバー２０ｃは、突き当てピン挿入孔２４ｃの内部に、遊嵌部材３１２、挿入規制部３１１、挿入規制部３１３を備える。挿入規制部３１１、挿入規制部３１３は、突き当てピン挿入孔２４ｃの内部に固定される。挿入規制部３１１、挿入規制部３１３は、互いに固定される位置を、突き当てピン挿入孔２４ｃの奥行き方向で違える。
【００５７】
ロック解除器１０ｃは、位置を違えた挿入規制部３１１に対応する被挿入規制部１１１、挿入規制部３１３に対応する被挿入規制部１１２を有し、突き当てピン１１ｃの先端形状を鍵状にする。ロック解除器１０ｃは、被挿入規制部１１１、被挿入規制部１１２の各々の先端部の長さが適当な場合に、突き当てピン１１ｃが遊嵌部材３１２に当接し、ロック部材を回動規制位置から回動許容位置に移動させることができる。
【００５８】
たとえば、被挿入規制部１１１、被挿入規制部１１２のいずれか一方の先端部が長すぎる場合、突き当てピン１１ｃは遊嵌部材３１２の押下量が足りなくなり、ロック部材を回動規制位置から回動許容位置に移動させることができない。したがって、突き当てピン１１ｃの先端形状が適当な場合に、ロック解除器１０ｃは、基板レバー２０ｃを回動可能にすることができる。
【００５９】
このように、第４の実施形態のロック機構は、基板レバー２０ｃとロック解除器１０ｃとが適当な組合せであるときに限り、基板レバー２０ｃを回動可能にするので、より強固に、電子機器ユニットの不用意な着脱操作を防止する。また、複数種類の電子機器ユニット３に備えられた場合に、電子機器ユニット３の種類ごとに遊嵌部材が異なる基板レバー２０ｃを用いることで、電子機器ユニット３ごとの取り扱いを異ならせることができる。
【００６０】
なお、挿入規制部を２つ備える場合に限らず、１つ、または３つ以上であってもよい。
なお、上述の実施の形態は、実施の形態の要旨を逸脱しない範囲内において種々の変更を加えることができる。
【００６１】
さらに、上述の実施の形態は、多数の変形、変更が当業者にとって可能であり、説明した正確な構成および応用例に限定されるものではない。
【符号の説明】
【００６２】
１……電子機器装置、２……電子機器収納ラック、３……電子機器ユニット、４……カード基板、５……コネクタ部、６……インターフェース部、７……本体シャーシ、８……ユニット係止部、９……筐体取付部、１０……ロック解除器、１１……突き当てピン、１２……グリップ部、１３……嵌合凹部、２０……基板レバー、２１……つめ、２２……係合部、２３……把持部、２４……突き当てピン挿入孔、２５……遊嵌部材ストッパ部、２６……ピン挿通孔、３０……遊嵌部材、４０……ロック部材、４１……長孔、４２……つめ受入部、４３……切替操作部、４４……コイルバネ収納部、４５……つめ当接部、５０……コイルバネ、６０……ピン、７０……ユニットガイド、７１……ピン挿通孔
【図１】
2011222740.tif 000003
【図２】
2011222740.tif 000004
【図３】
2011222740.tif 000005
【図４】
2011222740.tif 000006
【図５】
2011222740.tif 000007
【図６】
2011222740.tif 000008
【図７】
2011222740.tif 000009
【図８】
2011222740.tif 000010
【図９】
2011222740.tif 000011
【図１０】
2011222740.tif 000012
【図１１】
2011222740.tif 000013